(57)【要約】【課題】  前面扉及び遊技盤ユニット及び保持部材からなるユニットを備えた遊技機において、前面扉または保持部材の少なくともいずれかに設けられた音声発生装置や照明装置などの電気部品と、該電気部品を制御する制御装置との電気的接続を簡便に行うことができる遊技機を提供する。【解決手段】  本体基部３の組み付け部３ａに中継コネクタ３０を設け、制御装置１５に結線されたコネクタ２８を、中継コネクタ３０の後側接合部３０ｂにパチンコ機２の後側から接合し、前面扉５に設けられた電気部品８、及び保持枠１３に設けられた電気部品１６のそれぞれに結線されたコネクタ２６を、開口１３ｂにパチンコ機２の前側から挿通させて中継コネクタ３０の前側接合部３０ａに接合すると、電気部品８，１６と制御装置１５とが電気的に接続される。【選択図】        図３
2005081098.tif 000002
【特許請求の範囲】
【請求項１】
遊技を行う際に作動する制御装置、遊技領域を有する遊技盤、及び前記遊技盤の後背面に取り付けられて前記制御装置を支持する支持部材からなる遊技盤ユニットと、前記遊技領域を視認可能とする窓部を有する前面扉を回動自在に軸支するとともに前記遊技盤ユニットを保持する保持部材と、前記保持部材が組み付けられる組み付け部を有する本体基部とが設けられた遊技機において、
前記制御装置によって制御される前記前面扉または前記保持部材の少なくともいずれかに設けられた電気部品に結線されたコネクタが接合する第１端部と、前記制御装置に結線されたコネクタが接合する第２端部を有し、これら両端部にそれぞれ前記コネクタが接合したときに、前記電気部品と前記制御装置とを電気的に接続する中継コネクタを前記組み付け部に設けたことを特徴とする遊技機。
【請求項２】
遊技を行う際に作動する制御装置、遊技領域を有する遊技盤、及び前記遊技盤の後背面に取り付けられて前記制御装置を支持する支持部材からなる遊技盤ユニットと、前記遊技領域を視認可能とする窓部を有する前面扉を回動自在に軸支するとともに前記遊技盤ユニットを保持する保持部材と、前記保持部材が組み付けられる組み付け部を有する本体基部とが設けられた遊技機において、
前記制御装置によって制御される前記前面扉または前記保持部材の少なくともいずれかに設けられた電気部品に結線されたコネクタが接合する第１端部を有する第１中継コネクタを前記保持部材に設け、
前記制御装置に結線されたコネクタが接合する第２端部を有する第２中継コネクタを前記組み付け部に設け、
前記第１中継コネクタは、前記保持部材が前記組み付け部に組み付けられたときに前記第２中継コネクタの被接合端部に接合する接合端部を有し、
前記第１中継コネクタ及び前記第２中継コネクタは、前記第１端部及び前記第２端部にそれぞれの前記コネクタが接合し、前記接合端部及び前記被接合端部が互いに接合したときに、前記電気部品と前記制御装置とを電気的に接続することを特徴とする遊技機。
【発明の詳細な説明】
【技術分野】
【０００１】
本発明は、パチンコ店などの遊技場に設置して使用される弾球遊技機などの遊技機に関するものである。
【背景技術】
【０００２】
パチンコ店などの遊技場に設置して使用されるパチンコ機などの弾球遊技機は、遊技球などの遊技媒体が打ち出される遊技領域が形成された遊技盤が、パチンコ機を構成する基体となる本体基部に配設されており、さらに、該遊技領域を視認させる窓部を備えた前面扉（扉部材）が遊技盤の前方において開閉自在に設けられている。また、前面扉や遊技盤などには遊技に基づいて作動する音声発生装置や照明装置などの電気部品が設けられ、該電気部品を制御する制御装置が遊技盤の後背面を含む本体基部の内部に設けられている。このようなパチンコ機は、遊技場に設置されている状態で、且つ前面扉が閉じられてロック状態となっているときには、何人も本体基部の内部に配設された遊技盤や制御装置などには触れることができないようになっている。
【０００３】
また、現在のパチンコ機では、遊技場などにおいて新しい機種への機種替えを行う際に、パチンコ機全体を新しいパチンコ機と交換することが多く行われている。これに対し、パチンコ機の基本動作を行う部分を含んだ本体基部を遊技場などに据え置きにし、遊技領域を有する遊技盤や遊技に基づく制御を行う制御装置といった機種に依存する部分を含むものと、該遊技盤の後背面に取り付けられる支持部材などとを組み合わせて遊技盤ユニットとし、該遊技盤ユニットを本体基部から取り外す交換対象とすることによって、新規な遊技性を備えさせる機種替えにおけるコストダウンを図ることも行われている。
【０００４】
さらに、遊技者にアピールするための立体的なフォルムの装飾部を前面や側面に有している前面扉を回動自在に軸支するとともに遊技盤ユニットを保持する保持部材を設けて、前面扉及び遊技盤ユニット及び保持部材からなるユニットを交換対象とすることが考案されている。これにより、機種替えの際に前面扉も簡便に交換することができ、遊技者に機種が替わったことをアピールし、遊技に対する遊技者の興味を掻き立てることができる。
【発明の開示】
【発明が解決しようとする課題】
【０００５】
しかしながら、前面扉または保持部材の少なくともいずれかに設けられた音声発生装置や照明装置などの電気部品と、遊技盤の後背面を含む本体基部の内部に設けられて該電気部品を制御する制御装置との配線を、本体基部に組み付ける際に行うためには、該電気部品に接続された配線を、遊技盤の後背面を含む本体基部の内部に設けられた制御装置まで引き回さねばならず、保持部材とともに前面扉を交換対象とする場合であっては、交換作業を困難としてしまう要因となってしまっていた。
【０００６】
本発明は、前面扉及び遊技盤ユニット及び保持部材からなるユニットを備えた遊技機において、前面扉または保持部材の少なくともいずれかに設けられた音声発生装置や照明装置などの電気部品と、該電気部品を制御する制御装置との電気的接続を簡便に行うことができる遊技機を提供することを目的とする。
【課題を解決するための手段】
【０００７】
本発明の遊技機は、遊技を行う際に作動する制御装置、遊技領域を有する遊技盤、及び前記遊技盤の後背面に取り付けられて前記制御装置を支持する支持部材からなる遊技盤ユニットと、前記遊技領域を視認可能とする窓部を有する前面扉を回動自在に軸支するとともに前記遊技盤ユニットを保持する保持部材と、前記保持部材が組み付けられる組み付け部を有する本体基部とが設けられたものであって、前記制御装置によって制御される前記前面扉または前記保持部材の少なくともいずれかに設けられた電気部品に結線されたコネクタが接合する第１端部と、前記制御装置に結線されたコネクタが接合する第２端部を有し、これら両端部にそれぞれ前記コネクタが接合したときに、前記電気部品と前記制御装置とを電気的に接続する中継コネクタを前記組み付け部に設けたことを特徴とするものである。
【０００８】
本発明の遊技機は、遊技を行う際に作動する制御装置、遊技領域を有する遊技盤、及び前記遊技盤の後背面に取り付けられて前記制御装置を支持する支持部材からなる遊技盤ユニットと、前記遊技領域を視認可能とする窓部を有する前面扉を回動自在に軸支するとともに前記遊技盤ユニットを保持する保持部材と、前記保持部材が組み付けられる組み付け部を有する本体基部とが設けられたものであって、前記制御装置によって制御される前記前面扉または前記保持部材に設けられた電気部品に結線されたコネクタが接合する第１端部を有する第１中継コネクタを前記保持部材に設け、前記制御装置に結線されたコネクタが接合する第２端部を有する第２中継コネクタを前記組み付け部に設け、前記第１中継コネクタは、前記保持部材が前記組み付け部に組み付けられたときに前記第２中継コネクタの被接合端部に接合する接合端部を有し、前記第１中継コネクタ及び前記第２中継コネクタは、前記第１端部及び前記第２端部にそれぞれの前記コネクタが接合し、前記接合端部及び前記被接合端部が互いに接合したときに、前記電気部品と前記制御装置とを電気的に接続することを特徴とするものである。
【発明の効果】
【０００９】
本発明の遊技機は、制御装置によって制御される前面扉または保持部材の少なくともいずれかに設けられた電気部品に結線されたコネクタが接合する第１端部と、制御装置に結線されたコネクタが接合する第２端部を有し、これら両端部にそれぞれコネクタが接合したときに、電気部品と制御装置とを電気的に接続する中継コネクタを組み付け部に設けたので、前面扉及び遊技盤ユニット及び保持部材からなるユニットを交換する場合に、電気部品に接続された配線を遊技盤の後背面を含む本体基部の内部に設けられた制御装置まで引き回すことをせずとも、また、制御装置に接続された配線を前面扉または保持部材に設けられた電気部品まで引き回すことをせずとも、中継コネクタを介して電気部品と制御装置とを電気的に接続でき、したがって、電気部品と制御装置との配線を簡便に行うことができる。
【００１０】
本発明の遊技機は、制御装置によって制御される前面扉または保持部材に設けられた電気部品に結線されたコネクタが接合する第１端部を有する第１中継コネクタを保持部材に設け、制御装置に結線されたコネクタが接合する第２端部を有する第２中継コネクタを組み付け部に設け、第１中継コネクタは、保持部材が組み付け部に組み付けられたときに第２中継コネクタの被接合端部に接合する接合端部を有し、第１中継コネクタ及び第２中継コネクタは、第１端部及び第２端部にそれぞれのコネクタが接合し、接合端部及び被接合端部が互いに接合したときに、電気部品と制御装置とを電気的に接続するので、前面扉及び遊技盤ユニット及び保持部材からなるユニットを交換する場合に、電気部品に接続された配線を遊技盤の後背面を含む本体基部の内部に設けられた制御装置まで引き回すことをせずとも、また、制御装置に接続された配線を前面扉または保持部材に設けられた電気部品まで引き回すことをせずとも、保持部材を組み付け部に組み付ける作業を行うだけで互いに接合する第１中継コネクタの接合端部及び第２中継コネクタの被接合端部を介して電気部品と制御装置とを電気的に接続でき、したがって、電気部品と制御装置との配線を簡便に行うことができる。また、保持部材に第１中継コネクタを設けたので、電気部品に接続された配線に結線されたコネクタを予め第１中継コネクタの第１端部に接合させておけば、保持部材を組み付け部に組み付ける作業を行うだけで電気部品と制御装置とを、第２中継コネクタとの接続に基づいて、電気的に接続することができるので、保持部材を組み付け部に組み付ける作業を簡便とすることができる。
【発明を実施するための最良の形態】
【００１１】
図１に本発明を用いたパチンコ機（遊技機）２の外観を示す。パチンコ機２は、基体となる本体基部３に、遊技の際に遊技媒体である遊技球が流下する遊技領域４ａ（図２に図示）が設けられた遊技盤４が配設された構成となっている。遊技盤４に設けられた遊技領域４ａの前方には、遊技者に遊技領域４ａを視認させる窓部５ａを有する前面扉５が回動自在に設けられ、窓部５ａは前面扉５の後側に設けられた透明板であるガラス板６（図２に図示）によって塞がれている。この前面扉５は、遊技領域４ａの前方に位置する閉じ位置（図１参照）と、前記遊技領域４ａを露呈する開き位置（図２参照）との間で回動する。この前面扉５を閉じ位置に回動させると、図示しないロック機構により前面扉５が閉じ位置に保持される。また、前面扉５の前面及び側面には、様々な立体的なフォルムの装飾部材７が互いに組み合わさりながら装着されている。この装飾部材７の内部には、遊技中の演出を行うランプやスピーカ等の、パチンコ機２の遊技性に基づいて作動する電気部品８（図３に図示）が組み込まれている。なお、前面扉５が閉じ位置にロックされて保持された場合には、遊技者や遊技場の作業者は、ガラス板６を介して遊技領域４ａや、遊技領域４ａ上を流下する遊技球を視認することはできるが、本体基部３の内部に設けられた部品または装置には接触できないようになっている。
【００１２】
本体基部３は、パチンコ機２の基体となる部品であるとともに、パチンコ店等の遊技場に設置したまま据え置きとし得る部品である。本体基部３には、遊技球の供給や、後述する遊技領域４ａに設けられた入賞口に入賞した場合に払い出される遊技球を受ける受け皿９が設けられ、この受け皿９の下方には、遊技球の打ち出し強さを調節する回動式の操作ハンドル１０が設けられている。なお、遊技者が受け皿９に遊技球を供給すると、受け皿９の内部に設けられた通路９ａによって遊技球は図示を省略した発射装置へと誘導される。そして、操作ハンドル１０を回動操作することによって発射装置が作動し、遊技領域４ａの上方に向けて遊技球が打ち出される。また、本体基部３の内部には、遊技球の払い出しを行う払い出し装置（図示省略）などの遊技に基づいて作動する装置も配設されている。なお、本体基部３は、遊技場の設置箇所に固定するための枠部材を含む構成としても良いし、含まない構成としても良いものとする。
【００１３】
図２に示すように、遊技盤４を含む遊技盤ユニット１２を保持する保持部１３ａを備えた保持枠（保持部材）１３は、本体基部３の組み付け部３ａに対して着脱自在となっており、遊技盤ユニット１２は、保持部１３ａに対して着脱自在となっている。また、前面扉５は着脱自在に軸支されるように保持枠１３に組み付けられており、保持枠１３とともに本体基部３から分離することができるようになっている。
【００１４】
遊技盤４と、遊技領域４ａが設けられた遊技盤４の前面とは反対側となる後背面に一体となるように取り付けられ、遊技領域４ａに打ち出された遊技球を回収する通路を備えた支持部材１４と、支持部材１４によって支持された制御装置１５（図３に図示）などから、遊技盤ユニット１２は構成されている。制御装置１５は、遊技に基づいてパチンコ機２の動作を制御するものであって、前面扉５に設けられた電気部品８、及び保持枠１３に設けられた電気部品１６のそれぞれと電気的に接続されることによって、電気部品８，１６の動作を制御する機能を有している。なお、遊技盤ユニット１２を保持部１３ａに着脱自在に取り付ける方法については図示はしないが、例えばねじ止め、または嵌合部に基づく嵌着などによって保持部１３ａに取り付けるなど、パチンコ機２の構成等を考慮して、適宜の方法にて遊技盤ユニット１２を保持部１３ａに保持可能なように取り付けるようにすれば良い。電気部品１６は、保持枠１３の上部前面に設けられ、パチンコ機２の遊技性に基づいて作動する照明装置であり、電気部品１６から発っせられた光は、前面扉５の上部に設けた開口５ｃを通り装飾部材７を内側から照射する。
【００１５】
遊技領域４ａには、遊技領域４ａの境界を規制する遊技領域規制枠１７、及び始動入賞口１８、通常入賞口１９、アタッカ２０等の所定入賞口、及び、遊技領域４ａに打ち出された後いずれの入賞口にも入らなかった遊技球を遊技盤４の後側にて回収するために通過させるアウト口２１、及び、遊技領域４ａの略中央にて遊技球を一時的に滞在させるステージを有するセンター役物２２、及び、所定入賞に基づいて行う当否抽選の結果をセンター役物２２の略中央に露呈される表示部で表示する図柄表示装置２３、及び、図示を省略した釘や風車と呼ばれるものが配設される。
【００１６】
前面扉５の後側上部であって回動軸側の隅部には孔５ｂが設けられており、一方の端部を電気部品８に接続した配線２５の他方の端部が、孔５ｂから前面扉５の後側に向けて突出しており、この配線２５の突出している端部にはコネクタ２６が接合されている。また、一方の端部を電気部品１６に接続した配線２５の他方の端部もコネクタ２６に接合されている。
【００１７】
遊技盤ユニット１２の後背面側に設けられた制御装置１５には、配線２７の一方の端部が接続されており、配線２７の制御装置１５と接続していない他方の端部にはコネクタ２８が接合されている。
【００１８】
本体基部３の組み付け部３ａの上部左側の隅部には開口３ｂ（図３に図示）が前後に貫通して設けられている。開口３ｂの前側には、中継コネクタ３０がネジ３１によって取り付けられている。中継コネクタ３０の前側には前側接合部（第１端部）３０ａが設けられ、後側には後側接合部（第２端部）３０ｂが設けられている。前側接合部３０ａにはコネクタ２６が本体基部３の前側から接合される。後側接合部３０ｂは開口３ｂに挿通されて本体基部３の後側に突出しており、後側接合部３０ｂにはコネクタ２８が本体基部３の後側から接合される。中継コネクタ３０は、前側接合部３０ａに接合されたコネクタ２６と、後側接合部３０ｂに接合されたコネクタ２８とを電気的に接続するものであり、したがって、コネクタ２６とコネクタ２８とが中継コネクタ３０に接合されると、電気部品８，１６と制御装置１５とが電気的に接続される。なお、中継コネクタ３０の取り付けは、ネジ３１による取り付けに限られず、適宜の方法を用いて良い。
【００１９】
保持枠１３の上部左側の隅部であって、保持枠１３が組み付け部３ａに組み付けられたときに中継コネクタ３０と対向する部位には、開口１３ｂが設けられている。保持枠１３を組み付け部３ａに組み付けたときに、開口１３ｂにより中継コネクタ３０は保持枠１３の前側に露呈される。即ち、保持枠１３を組み付け部３ａに組み付けた後に、コネクタ２６を開口１３ｂに挿通させて前側接合部３０ａに接合させることができるようになっている。
【００２０】
上記のように構成されたパチンコ機２の作用について図３を用いて説明する。図３は、中継コネクタ３０を介して電気部品８，１６と制御装置１５とを電気的に接続する作業を示す説明図である。先ず、組み付け部３ａに保持枠１３を組み付ける。このとき、開口１３ｂにより中継コネクタ３０が保持枠１３の前側に露呈される。次に、制御装置１５に結線されたコネクタ２８を、後側接合部３０ｂに本体基部３の後側から接合し、電気部品８，１６に結線されたコネクタ２６を、開口１３ｂに本体基部３の前側から挿通させて前側接合部３０ａに接合すると、電気部品８，１６と制御装置１５とが電気的に接続される。このように、電気部品８，１６に接続された配線２５を、遊技盤４の後背面を含む本体基部３の内部に設けられた制御装置１５まで引き回すことをせずとも、中継コネクタ３０を介して電気部品８，１６と制御装置１５とを電気的に接続することができる。なお、この電気的な接続によって、制御装置１５にて生成される制御命令の信号を電気部品８，１６に送信し、電気部品８，１６の駆動機能を制御することができるようになる。
【００２１】
上記実施形態では、中継コネクタ３０を本体基部３に設けていたが、本体基部と保持枠のそれぞれに中継コネクタを設け、保持枠が組み付け部に組み付けられたときに互いに接合するようにしても良い。このように構成したパチンコ機を図４に示す。
【００２２】
図４に示すように、遊技盤４を含む遊技盤ユニット１２を保持する保持部３３ａを備えた保持枠（保持部材）３３は、本体基部３の組み付け部３ａに対して着脱自在となっており、遊技盤ユニット１２は、保持部３３ａに対して着脱自在となっている。また、前面扉５は着脱自在に軸支されるように保持枠３３に組み付けられており、保持枠３３とともに本体基部３から分離することができるようになっている。
【００２３】
前面扉５の後側上部であって回動軸側の隅部には孔５ｂが設けられており、一方の端部を電気部品８に接続した配線２５の他方の端部が、孔５ｂから前面扉５の後側に向けて突出しており、この配線２５の突出している端部にはコネクタ２６が接合されている。また、一方の端部を電気部品１６に接続した配線２５の他方の端部もコネクタ２６に接合されている。
【００２４】
保持枠３３の上部左側の隅部には、開口３３ｂ（図５に図示）が前後に貫通して設けられている。開口３３ｂの後側には、第１中継コネクタ３５がネジ３１によって取り付けられている。第１中継コネクタ３５の前側には前側接合部（第１端部）３５ａが設けられ、後側には後側接合部（接合端部）３５ｂが設けられている。前側接合部３５ａは開口３３ｂに挿通されて本体基部３の後側に突出しており、前側接合部３５ａにはコネクタ２６が保持枠３３の前側から接合される。後側接合部３５ｂは、後述するように、第２中継コネクタ３６の前側接合部（被接合端部）３６ａ（図５に図示）と互いに接合する。第１中継コネクタ３５は、前側接合部３５ａに接合されたコネクタ２６と、後側接合部３５ｂに接合された第２中継コネクタ３６の前側接合部３６ａとを電気的に接続するものである。なお、中継コネクタ３５の取り付けは、ネジ３１による取り付けに限られず、適宜の方法を用いて良い。
【００２５】
遊技盤ユニット１２の後背面側に設けられた制御装置１５には、配線２７の一方の端部が接続されており、配線２７の制御装置１５と接続していない他方の端部にはコネクタ２８が接続されている。
【００２６】
本体基部３の組み付け部３ａの上部左側の隅部であって、保持枠３３が組み付け部３ａに組み付けられたときに第１中継コネクタ３５と対向する部位には、開口３ｂ（図５に図示）が前後に貫通して設けられている。開口３ｂの前側には、第２中継コネクタ３６がネジ３１によって取り付けられている。第２中継コネクタ３６の前側には前側接合部３６ａが設けられ、後側には後側接合部（第２端部）３６ｂが設けられている。前側接合部３６ａには、第１中継コネクタ３５の後側接合部３５ｂと互いに接合する。後側接合部３６ｂは開口３ｂに挿通されており、後側接合部３６ｂにはコネクタ２８が本体基部３の後側から接合される。第２中継コネクタ３６は、前側接合部３６ａに接合された第１中継コネクタ３５の後側接合部３５ｂと、後側接合部３６ｂに接合されたコネクタ２８とを電気的に接続するものである。したがって、コネクタ２６が接合された第１中継コネクタ３５と、コネクタ２８が接合された第２中継コネクタ３６とが接合されると、電気部品８，１６と制御装置１５とが電気的に接続される。なお、第２中継コネクタ３６の取り付けは、ネジ３１による取り付けに限られず、適宜の方法を用いて良い。
【００２７】
上記のように構成されたパチンコ機２の作用について図５を用いて説明する。図５は、第１中継コネクタ３５及び第２中継コネクタ３６を介して電気部品８，１６と制御装置１５とを電気的に接続する作業を示す説明図である。先ず、電気部品８，１６に結線されたコネクタ２６を第１中継コネクタ３５の前側接合部３５ａに保持枠３３の前側から接合する。次に、組み付け部３ａに保持枠３３を組み付ける。このとき、第１中継コネクタ３５と第２中継コネクタ３６とは互いに接合する。そして、制御装置１５に結線されたコネクタ２８を、第２中継コネクタ３６の後側接合部３６ｂに本体基部３の後側から接合すると、電気部品８，１６と制御装置１５とが電気的に接続される。このように、電気部品８，１６に接続された配線２５を、遊技盤４の後背面を含む本体基部３の内部に設けられた制御装置１５まで引き回すことをせずとも、保持部３３を組み付け部３ａに組み付ける作業を行うだけで互いに接合する第１中継コネクタ３５及び第２中継コネクタ３６を介して電気部品８，１６と制御装置１５とを電気的に接続することができる。また、電気部品８，１６に結線されたコネクタ２６を第１中継コネクタ３５の前側接合部３５ａに予め接合し、保持枠３３を組み付け部３ａに組み付ける作業を行うだけで電気部品８，１６と制御装置１５とを、第２中継コネクタ３６との接続に基づいて電気的に接続することができるので、接続工程の簡略化を図ることができる。
【００２８】
なお、上記実施形態において、孔５ｂは前面扉５の後側上部であって回動軸側の隅部に設けられ、開口１３ｂは保持枠１３の上部左側の隅部に設けられ、開口３ｂ、中継コネクタ３０、及び第２中継コネクタ３６は組み付け部３ａの上部左側の隅部に設けられ、開口３３ｂ及び第１中継コネクタ３５は保持枠３３の上部左側の隅部に設けられていたが、これらが設けられる位置はこれらに限らず、電気部品８，１６と制御装置１５とが中継コネクタ３０、または第１中継コネクタ３５及び第２中継コネクタ３６を介して電気的に接続されるものであれば、それぞれ適宜の位置に設けて良い。
【００２９】
上記実施形態において、コネクタ２６は電気部品８，１６に結線されていたが、コネクタ２６は電気部品８または電気部品１６のいずれか一方に結線されるとしても良い。
【図面の簡単な説明】
【００３０】
【図１】本発明を実施したパチンコ機の外観を示す斜視図である。
【図２】本体基部と遊技盤ユニットと保持枠とを分解して示す斜視図である。
【図３】中継コネクタを介して電気部品と制御装置とを電気的に接続する作業を示す説明図である。
【図４】図２とは別の態様の、本体基部と遊技盤ユニットと保持枠とを分解して示す斜視図である。
【図５】第１中継コネクタ及び第２中継コネクタを介して電気部品と制御装置とを電気的に接続する作業を示す説明図である。
【符号の説明】
【００３１】
２  パチンコ機（遊技機）
３  本体基部
３ａ  組み付け部
４  遊技盤
４ａ  遊技領域
５  前面扉
５ａ  窓部
８，１６  電気部品
１２  遊技盤ユニット
１３，３３  保持枠（保持部材）
１４  支持部材
１５  制御装置
２５，２７  配線
２６，２８  コネクタ
３０  中継コネクタ
３０ａ  前側接合部（第１端部）
３０ｂ  後側接合部（第２端部）
３５  第１中継コネクタ
３５ａ  前側接合部（第１端部）
３５ｂ  後側接合部（接合端部）
３６  第２中継コネクタ
３６ａ  前側接合部（被接合端部）
３６ｂ  後側接合部（第２端部）
【図１】
2005081098.tif 000003
【図２】
2005081098.tif 000004
【図３】
2005081098.tif 000005
【図４】
2005081098.tif 000006
【図５】
2005081098.tif 000007